(57)【要約】　　　（修正有）【課題】緩衝機能を向上させることによって耐衝撃性に優れた段ボール製梱包部材およびそれを含む梱包構造を提供する。【解決手段】この梱包構造では、段ボール製梱包部材２０が、底面収納部２１に設けられた一対の開口部と、長手方向に実質的に直交する方向に、段ボールシートの芯が延びるように形成された一対のスペーサ部２２と、段ボールシートの芯が延びる方向と実質的に平行な方向に延びる長手方向部分を有する付属品支持部と、一対の発泡スチロール部材１１０の対向する側面間に配置され、一対の開口部２５を形成するために下方に折り返された一対の折り返し部２３と、発泡スチロール部材１１０の突出部に当接するように配置された先端突出部２４とを含む。【選択図】図１
0003097159.tif 000002
【実用新案登録請求の範囲】
【請求項１】
製品を収納するための段ボール箱と、前記段ボール箱内に配置され、前記製品の側部を支持するための凹部を有する側面を含む一対の発泡スチロール部材と、前記段ボール箱内の前記一対の発泡スチロール部材に隣接するように配置され、付属品を収納するための底面収納部、および、前記底面収納部の両端部を四角形状に折り曲げることにより形成され、前記発泡スチロール部材の上面と前記段ボール箱の内面との隙間に配置される一対のスペーサ部を含む段ボール製梱包部材とを備えた梱包構造において、
前記発泡スチロール部材は、上面に突出部を含み、
前記段ボール製梱包部材は、前記一対のスペーサ部の延びる方向に実質的に直交する方向に、段ボールの芯が延びるように形成されており、
前記段ボール製梱包部材は、
前記底面収納部の２つの所定部分をコの字状に切り取るとともに残りの部分を下方に折り返すことにより形成された一対の開口部と、
前記一対の開口部間に位置するとともに、前記段ボールの芯が延びる方向と実質的に平行な方向に延びる長手方向部分を有する付属品支持部と、
前記一対の発泡スチロール部材の対向する側面間に配置され、前記一対の開口部を形成するために下方に折り返された一対の折り返し部と、
前記スペーサ部の前記底面収納部側の辺の先端が前記スペーサ部の下方に突出することにより形成され、前記折り返し部とにより前記発泡スチロール部材を挟むように、前記発泡スチロール部材の前記突出部に当接するように配置された先端突出部とを含む、梱包構造。
【請求項２】
段ボール箱内に配置される第１物品を保持するための一対の保持部材に隣接するように配置される段ボール製梱包部材であって、
第２物品を収納するための底面収納部と、
前記底面収納部の端部に上方に突出するように設けられ、前記一対の保持部材と前記段ボール箱の内面との隙間に配置される一対のスペーサ部と、
前記底面収納部の所定部分を切り取るとともに残りの部分を下方に折り返すことにより形成された開口部と、
前記開口部に隣接する第２物品支持部と、
前記一対の保持部材の対向する側面間に配置され、前記開口部を形成するために下方に折り返された折り返し部とを備えた、段ボール製梱包部材。
【請求項３】
前記一対のスペーサ部は、前記底面収納部の両端部を四角形状に折り曲げることにより形成され、
前記一対のスペーサ部の延びる方向に実質的に直交するように、段ボールの芯が延びて形成されている、請求項２に記載の段ボール製梱包部材。
【請求項４】
前記第２物品支持部は、前記段ボールの芯が延びる方向と実質的に平行な方向に延びる長手方向部分を有する、請求項２または３に記載の段ボール製梱包部材。
【請求項５】
前記保持部材は、上面に突出部を含み、
前記一対のスペーサ部は、前記底面収納部の両端部を四角形状に折り曲げることにより形成され、
前記スペーサ部の前記底面収納部側の辺の先端が前記スペーサ部の下方に突出することにより形成され、前記折り返し部とにより前記保持部材を挟むように、前記保持部材の突出部に当接するように配置された先端突出部をさらに備える、請求項２〜４のいずれか１項に記載の段ボール製梱包部材。
【考案の詳細な説明】
【０００１】
【考案の属する技術分野】
この考案は、梱包構造および段ボール製梱包部材に関する。
【０００２】
【従来の技術】
従来、電気製品などの各種機器やその付属品を梱包する場合の梱包構造では、段ボール箱の内部に、製品や付属品を移動しないように保持するための梱包部材が配置されている。従来の梱包部材としては、発泡スチロールなどの発泡プラスチックを成型した梱包部材、または、段ボール製の梱包部材を用いたものが知られている（たとえば、特許文献１、２、および３参照）。
【０００３】
上記特許文献１〜３には、１枚または複数枚の段ボールシートを折り曲げることにより形成された箱状の部分を緩衝体として用いる段ボール製梱包部材が開示されている。
【０００４】
図６は、従来の梱包構造の一例を示した概略図である。まず、図６を参照して、従来の一例による梱包構造１００について説明する。従来の梱包構造１００は、図６に示すように、段ボール箱１０１と、段ボール箱１０１内に配置される梱包部材としての一対の発泡スチロール部材１１０および段ボール製梱包部材１２０とを備えている。一対の発泡スチロール部材１１０は、製品１５０の側部を保持するように配置されている。また、段ボール製梱包部材１２０は、一対の発泡スチロール部材１１０の上面と段ボール箱１０１の上部内面との間に配置されるとともに、付属品１６０を保持する。
【０００５】
図７は、図６に示した発泡スチロール部材の正面図であり、図８は、図７の左側面図であり、図９は、図８の上面図である。図６〜図９を参照して、従来の発泡スチロール部材１１０は、製品１５０の側部を保持するための凹部１１１と、上面に設けられた突出部１１２および１１３と、裏面に設けられた突出部１１４と、曲面状の側部１１５とを含んでいる。また、発泡スチロール部材１１０の上面に設けられた突出部１１２および１１３は、段ボール製梱包部材１２０の下面を支持する機能を有する。発泡スチロール部材１１０の裏面に設けられた突出部１１４は、段ボール箱１０１の内側面に当接するように配置される。
【０００６】
図１０は、図６に示した従来の段ボール製梱包部材を示した斜視図であり、図１１は、図１０に示した従来の段ボール製梱包部材の平面展開図である。図１２は、図１１に示した従来の段ボール製梱包部材における段ボールシートの芯の延びる方向を説明するための斜視図である。まず、図６、図１０および図１１を参照して、従来の段ボール製梱包部材１２０は、付属品１６０を収納するための底面収納部１２１と、一対のスペーサ部１２２と、一対の折り返し部１２３と、先端突出部１２４とを備えている。
【０００７】
一対のスペーサ部１２２は、底面収納部１２１の両端部を四角形状に折り曲げることにより形成されるとともに、発泡スチロール部材１１０の上面と段ボール箱１０１の上部内面との間の隙間をなくすように配置される。また、折り返し部１２３は、スペーサ部１２２が形成された辺が延びる方向と直交する方向の底面収納部１２１の両端部を、スペーサ部１２２が存在する面に対して反対側に折り曲げることによって形成されているとともに、アーチ形状を有する。この折り返し部１２３の内側面１２３ａは、図６に示すように、発泡スチロール部材１１０の曲面状の側部１１５に当接するように配置される。また、先端突出部１２４は、スペーサ部１２２を形成する辺の両端部の先端が、底面収納部１２１に設けられた切込み部１２１ａに挿入されることにより、スペーサ部１２２の外方に突出するように形成されている。また、従来の段ボール製梱包部材１２０を構成する段ボールシートの芯１２０ａは、図１１および図１２に示すＡ方向に延びている。
【０００８】
図１３は、図６に示した従来の段ボール製梱包部材と一対の発泡スチロール部材との配置関係を示した図である。図６および図１３を参照して、従来の梱包構造１００では、段ボール箱１０１に衝撃が加わった場合に、一対の発泡スチロール部材１１０および段ボール製梱包部材１２０に衝撃を緩和する緩衝機能を持たせていた。すなわち、発泡スチロール部材１１０は、衝撃が加わった場合にある程度弾性変形するので、緩衝機能を有する。また、従来の発泡スチロール１１０上に配置される段ボール製梱包部材１２０は、四角形状のスペーサ部１２２の弾性変形などにより衝撃を緩和する緩衝機能を有する。
【０００９】
【特許文献１】
実開平６−１４０７２号公報
【特許文献２】
実開平６−２０２７９号公報
【特許文献３】
実開平６−４４７７３号公報
【００１０】
【考案が解決しようとする課題】
しかしながら、上述した従来の梱包構造１００では、段ボール製梱包部材１２０を構成する段ボールシートの芯１２０ａ（図１２参照）が、図１０および図１２に示すように、矢印Ａ方向に延びるように形成されているので、図１０に示した段ボール製梱包部材１２０のスペーサ部１２２に上方向から力が加わると、四角形状のスペーサ部１２２の垂直方向の辺１２２ａが弾性変形せずに折れ曲がりやすいという不都合がある。このように、スペーサ部１２２の垂直方向の辺１２２ａが折れ曲がると、スペーサ部１２２の衝撃に対する緩衝機能が低下するという問題点があった。また、スペーサ部１２２の垂直方向の辺１２２ａが折れ曲がると、スペーサ部材１２２の高さが小さくなるので、段ボール箱１０１の上部内面とスペーサ部１１２の上面との間に空間ができる。このため、一対の発泡スチロール部材１１０が上下方向に移動しやすくなるので、一対の発泡スチロール部材１１０の上下方向の移動に起因して製品１５０が一対の発泡スチロール部材１１０から脱落してしまうという問題点がある。
【００１１】
また、図６に示した従来の梱包構造１００において、段ボール箱１０１に対して左右方向に衝撃が加わった場合に、発泡スチロール部材１１０の片方の端部が対向する発泡スチロール部材１１０側（図６および図９の矢印Ｃ方向）に移動しやすいという不都合があった。このように、発泡スチロール部材１１０の片方の端部が矢印Ｃ方向に移動する場合にも、製品１５０が脱落するという問題点があった。
【００１２】
また、従来の段ボール製梱包部材１２０の底面収納部１２１は、図１１に示したように、１枚の板状の段ボールシートにより形成されているので、柔軟性に欠けるという不都合があった。上述した段ボール製梱包部材１２０のスペーサ部１２２の折れ曲がりによる緩衝機能の低下と、この底面収納部１２１の柔軟性の欠落とによって、従来の段ボール製梱包部材１２０では、十分な緩衝機能を得るのは困難であるという問題点もあった。
【００１３】
また、図６に示した従来の梱包構造１００では、落下などにより段ボール箱１０１に強い衝撃が加わった場合、段ボール製梱包部材１２０の折り返し部１２３の内側面１２３ａと、発泡スチロール部材１１０の側部１１５とが接触している部分に強い力が加わるため、発泡スチロール部材１１０の側部１１５に、図７〜図９の矢印Ｂ方向の押圧力が過度に加わる。この矢印Ｂ方向の過度の押圧力により、発泡スチロール部材１１０の側部１１５が図８および図９の２点鎖線に示すように破損する場合があるという不都合があった。このように発泡スチロール部材１１０の側部１１５が破損した場合にも、発泡スチロール部材１１０は、図９に示す矢印Ｄ方向に移動しやすくなるため、発泡スチロール部材１１０に保持されている製品１５０（図６参照）が発泡スチロール１１０から脱落するという問題点があった。
【００１４】
また、上記特許文献１〜３に開示された従来の箱状の段ボール製梱包部材についても、段ボールの芯の延びる方向は考慮されていない。したがって、段ボールの芯の延びる方向が箱状部分の長手方向である場合には、箱状部分に垂直方向（短手方向）の力が加わると、箱状部分が弾性変形せずに折れ曲がってしまうという不都合がある。この場合には、図１０に示した従来の段ボール製梱包部材１２０と同様、箱状部分の緩衝機能が低下するという問題点がある。また、特許文献１および３では、底面収納部が全面板状の段ボールシートから形成されているため、図１０に示した従来の段ボール製梱包部材１２０と同様、底面収納部が柔軟性に欠けるという不都合がある。このため、特許文献１および３では、底面収納部の緩衝機能も十分に得るのが困難である。
【００１５】
この考案は、上記のような課題を解決するためになされたものであり、この考案の一つの目的は、緩衝機能を向上させることによって耐衝撃性に優れた段ボール製梱包部材およびそれを含む梱包構造を提供することである。
【００１６】
【課題を解決するための手段および考案の効果】
この考案の第１の局面による梱包構造は、製品を収納するための段ボール箱と、段ボール箱内に配置され、製品の側部を保持するための凹部を有する側面を含む一対の発泡スチロール部材と、段ボール箱内の一対の発泡スチロール部材に隣接するように配置され、付属品を収納するための底面収納部、および、底面収納部の両端部を四角形状に折り曲げることにより形成され、発泡スチロールの上面と段ボール箱の内面との隙間に配置される一対のスペーサ部を含む段ボール製梱包部材とを備えた梱包構造において、発泡スチロール部材は、上面に突出部を含み、段ボール製梱包部材は、一対のスペーサ部の延びる方向に実質的に直交する方向に、段ボールの芯が延びるように形成されており、段ボール製梱包部材は、底面収納部の２つの所定部分をコの字状に切り取るとともに残りの部分を下方に折り返すことにより形成された一対の開口部と、一対の開口部間に位置するとともに、段ボールの芯が延びる方向と実質的に平行な方向に延びる長手方向部分を有する付属品支持部と、一対の発泡スチロール部材の対向する側面間に配置され、一対の開口部を形成するために下方に折り返された一対の折り返し部と、スペーサ部の底面収納部側の辺の先端がスペーサ部の下方に突出することにより形成され、折り返し部とにより発泡スチロール部材を挟むように、発泡スチロール部材の突出部に当接するように配置された先端突出部とを含む。
【００１７】
この第１の局面による梱包構造では、上記のように、段ボール箱内で一対の発泡スチロール部材に隣接するように配置された段ボール製梱包部材の底面収納部の２つの所定部分を、コの字状に切り取るとともに残りの部分を下方に折り返すことにより一対の開口部を設けることによって、開口部を設けない場合に比べて、段ボール製梱包部材の底面収納部の平面積が減少するので、その分、底面収納部の柔軟性を向上させることができる。これにより、底面収納部を衝撃などに対する緩衝材として機能させることができるので、耐衝撃性に優れた梱包構造を得ることができる。
【００１８】
また、第１の局面による梱包構造では、一対の開口部を形成するために下方に折り返された一対の折り返し部を、一対の発泡スチロール部材の対向する側面間に配置することによって、製品を収納する一対の発泡スチロール部材の片方の端部が対向する側に移動するのを防止することができる。これにより、段ボール箱が落下したなどの場合に、一対の発泡スチロール部材の片方の端部が対向する側に移動することにより一対の発泡スチロール部材から製品が脱落するという不都合を防止することができる。また、一対の折り返し部を、製品が収納される側である一対の発泡スチロール部材の対向する側面間に配置することによって、一対の発泡スチロール部材の片方の端部が対向する側に移動しようとした場合に、一対の折り返し部と製品との両方による押圧力が一対の発泡スチロール部材の対向する側面に加わるので、線状の一対の折り返し部が一対の発泡スチロール部材の対向する側面を過度に押圧するのを抑制することができる。これにより、線状の一対の折り返し部が一対の発泡スチロール部材の対向する側面を過度に押圧することに起因して一対の発泡スチロール部材が破損するのを防止することができるので、発泡スチロール部材が破損することにより発泡スチロール部材から製品が脱落するのを防止することができる。
【００１９】
また、第１の局面による梱包構造では、段ボール製梱包部材を、一対のスペーサ部の延びる方向（長手方向）に実質的に直交する方向（短手方向）に、段ボールの芯が延びるように形成することによって、底面収納部の両端部を四角形状に折り曲げることにより一対のスペーサ部を形成した場合に、一対のスペーサ部が短手方向（上下方向）に折れ曲がりにくくなる。これにより、衝撃が加わった場合にスペーサ部を折れ曲がらずに弾性変形させることができるので、その分、スペーサ部の緩衝機能を向上させることができる。またスペーサ部が短手方向（上下方向）に折れ曲がりにくくなるので、段ボール箱の落下などにより、一対のスペーサ部の短手方向（上下方向）に衝撃が加わった場合にも、発泡スチロール部材の上面と段ボール箱の内面との隙間に配置される一対のスペーサ部が短手方向（上下方向）に折れ曲がることに起因して発泡スチロールの上面と段ボール箱の内面との間に空間ができるのを抑制することができる。これにより、発泡スチロール部材が上下方向に移動するのを抑制することができるので、発泡スチロール部材の上下方向の移動に起因して製品が脱落するのを抑制することができる。また、段ボール製梱包部材の一対の開口部間に位置するとともに、段ボールの芯が延びる方向と実質的に平行な方向に延びる長手方向部分を有する付属品支持部を設けることによって、付属品支持部の段ボールの芯が延びる方向と実質的に平行な方向に延びる長手方向部分が曲がりにくいので、細長形状である付属品支持部上に付属品を載置した場合にも、付属品支持部が下方に曲がるのを抑制することができる。
【００２０】
また、第１の局面による梱包構造では、スペーサ部の底面収納部側の辺の先端がスペーサ部の下方に突出することにより形成され、折り返し部とにより発泡スチロール部材を挟むように、発泡スチロール部材の突出部に当接するように配置された先端突出部を設けることによって、段ボール箱を落下した場合などに、発泡スチロール部材が移動するのをより抑制することができる。これにより、発泡スチロール部材の移動に起因する製品の脱落をより抑制することができる。
【００２１】
この考案の第２の局面による段ボール製梱包部材は、段ボール箱内に配置される第１物品を保持するための一対の保持部材に隣接するように配置される段ボール製梱包部材であって、第２物品を収納するための底面収納部と、底面収納部の端部に上方に突出するように設けられ、一対の保持部材と段ボール箱の内面との隙間に配置される一対のスペーサ部と、底面収納部の所定部分を切り取るとともに残りの部分を下方に折り返すことにより形成された開口部と、開口部に隣接する第２物品支持部と、一対の保持部材の対向する側面間に配置され、開口部を形成するために下方に折り返された折り返し部とを含む。
【００２２】
この考案の第２の局面による段ボール製梱包部材は、上記のように、段ボール箱内で一対の保持部材に隣接するように配置された段ボール製梱包部材の底面収納部の所定部分を、切り取るとともに残りの部分を下方に折り返すことにより開口部を設けることによって、開口部を設けない場合に比べて、段ボール製梱包部材の底面収納部の平面積が減少するので、その分、底面収納部の柔軟性を向上させることができる。これにより、底面収納部を衝撃などに対する緩衝材として機能させることができるので、耐衝撃性に優れた段ボール製梱包部材を得ることができる。
【００２３】
また、第２の局面による段ボール製梱包部材では、開口部を形成するために下方に折り返された折り返し部を、一対の保持部材の対向する側面間に配置することによって、製品を収納する一対の保持部材の片方の端部が対向する側に移動するのを防止することができる。これにより、段ボール箱が落下したなどの場合に、一対の保持部材の片方の端部が対向する側に移動することにより一対の保持部材から第１物品が脱落するという不都合を防止することができる。
【００２４】
上記第２の局面による段ボール製梱包部材において、好ましくは、一対のスペーサ部は、底面収納部の両端部を四角形状に折り曲げることにより形成され、一対のスペーサ部の延びる方向に実質的に直交するように、段ボールの芯が延びて形成されている。このように構成すれば、一対のスペーサ部が短手方向（上下方向）に折れ曲がりにくくなる。これにより、衝撃が加わった場合にスペーサ部を折れ曲がらずに弾性変形させることができるので、その分、スペーサ部の緩衝機能を向上させることができる。またスペーサ部が短手方向（上下方向）に折れ曲がりにくくなるので、保持部材の上面と段ボール箱の内面との隙間に配置される一対のスペーサ部が短手方向（上下方向）に折れ曲がることに起因して保持部材の上面と段ボール箱の内面との間に空間ができるのを抑制することができる。これにより、保持部材が上下方向に移動するのを抑制することができるので、保持部材の上下方向の移動に起因して第１物品が脱落するのを抑制することができる。
【００２５】
上記第２の局面による段ボール製梱包部材において、好ましくは、第２物品支持部は、段ボールの芯が延びる方向と実質的に平行な方向に延びる長手方向部分を有する。このように構成すれば、第２物品支持部の段ボールの芯が延びる方向と実質的に平行な方向に延びる長手方向部分が曲がりにくいので、細長形状である第２物品支持部上に第２物品を載置した場合にも、第２物品支持部が下方に曲がるのを抑制することができる。
【００２６】
上記第２の局面による段ボール製梱包部材において、好ましくは、保持部材は、上面に突出部を含み、一対のスペーサ部は、底面収納部の両端部を四角形状に折り曲げることにより形成され、スペーサ部の底面収納部側の辺の先端がスペーサ部の下方に突出することにより形成され、折り返し部とにより保持部材を挟むように、保持部材の突出部に当接するように配置された先端突出部をさらに備える。このように構成すれば、段ボール箱を落下した場合などに、保持部材が移動するのをより抑制することができる。これにより、保持部材の移動に起因する第１物品の脱落をより抑制することができる。
【００２７】
【考案の実施の形態】
以下、本考案の実施の形態を図面に基づいて説明する。
【００２８】
図１は、本考案の一実施形態による梱包構造を示した概略図である。図２は、図１に示した一実施形態による梱包構造に用いられる段ボール製梱包部材の斜視図である。図３は、図１に示した一実施形態による段ボール製梱包部材の平面展開図である。図４は、段ボール製梱包部材と一対の発泡スチロール部材との配置関係を示した図である。図５は、図１に示した段ボール製梱包部材と一対の発泡スチロール部材の上面突出部との位置関係を説明するための平面図である。
【００２９】
まず、図１を参照して、梱包構造１は、段ボール箱１０１と、段ボール箱１０１内に配置される梱包部材としての一対の発泡スチロール部材１１０および段ボール製梱包部材２０とを備えている。なお、段ボール箱１０１および発泡スチロール部材１１０は、図６〜図９に示した従来の段ボール箱１０１および発泡スチロール部材１１０と同様の構成を有する。
【００３０】
ここで、本実施形態による段ボール製梱包部材２０は、底面収納部２１と、一対のスペーサ部２２と、一対の折り返し部２３と、先端突出部２４と、一対の開口部２５と、付属品支持部２６とを備えている。底面収納部２１は、付属品を収納するために設けられている。一対のスペーサ部２２は、底面収納部２１の両端部を四角形状に折り曲げることにより形成されている。一対の開口部２５は、底面収納部２１の２つの所定部分を、コの字状に切り取るとともに残りの部分を下方に折り返すことにより形成されている。また、付属品支持部２６は、一対の開口部２５の間に位置するように形成されている。折り返し部２３は、開口部２５を形成するために下方に折り返すことにより形成されている。この折り返し部２３は、図１および図４に示すように、一対の発泡スチロール部材１１０の対向する側面間に配置されている。また、先端突出部２４は、スペーサ部２２の底面収納部２１側の辺の先端が、底面収納部２１に設けられた切込み部２１ａに挿入されることによりスペーサ部２２の下方に突出するように形成されている。この先端突起部２４は、図５に示すように、折り返し部２３とによって、発泡スチロール部材１１０を挟むように、発泡スチロール部材１１０の突出部１１２に当接するように配置されている。
【００３１】
また、本実施形態では、段ボール製梱包部材２０を構成する段ボールシートの芯の延びる方向は、図３中の矢印Ａで示すように、段ボール製梱包部材２０の段ボールシートの長手方向に対して平行な方向である。すなわち、本実施形態による段ボール製梱包部材２０を構成する段ボールシートの芯は、図２に示すように、従来の段ボール製梱包部材１２０（図１０参照）と異なり、一対のスペーサ部２２の延びる方向（長手方向）に対し、実質的に直交する方向（短手方向）に延びるように形成されている。これにより、段ボール製梱包部材２０を構成する段ボールシートの芯は、一対のスペーサ部２２の垂直方向の辺２２において、上下方向（図２の矢印Ａ方向）に延びるようになる。
【００３２】
本実施形態による段ボール製梱包部材２０では、上記のように、段ボール製梱包部材２０の底面収納部２１に、一対の開口部２５を設けることによって、底面収納部２１の平面積が減少するので、底面収納部２１の柔軟性を向上させることができる。これにより、底面収納部２１に衝撃を緩和する緩衝機能を持たせることができる。また、本実施形態では、上記のように、段ボール製梱包部材２０を構成する段ボールシートの芯を、従来とは異なり、一対のスペーサ部２２の垂直方向の辺２２ａにおいて上下方向（図２の矢印Ａ方向）に延びるように形成することによって、段ボール箱１０１の落下などにより、一対のスペーサ部２２の上下方向に衝撃が加わった場合にも、段ボール製梱包部材２０のスペーサ部２２の垂直方向の辺２２ａは従来に比べて、上下方向に折れ曲がりにくくなるので、衝撃が加わった場合に折れ曲がらずに、弾性変形させることができる。これにより、段ボール製梱包部材２０の緩衝機能を向上させることができる。また、発泡スチロール部材１１０の上面と段ボール箱の内面との隙間に配置される一対のスペーサ部２２が上下方向に折れ曲がるのを抑制することができるので、発泡スチロール部材１１０の上面と段ボール箱１０１の内面との間に空間ができるのを抑制することができる。その結果、発泡スチロール部材１１０が上下に移動するのを抑制することができるので、製品１５０が脱落するのを抑制することができる。
【００３３】
また、本実施形態では、底面収納部２１から下方に突出するように設けられた折り返し部２３を、一対の発泡スチロール部材１１０の対向する側面間に配置することによって、発泡スチロール部材１１０の片方の端部が対向する発泡スチロール１１０側に移動するのを防止することができる。これにより、発泡スチロール部材１１０の片方の端部が対向する発泡スチロール側に移動することに起因して一対の発泡スチロール部材１１０から製品１５０が脱落するのを防止することができる。
【００３４】
なお、図１に示した本実施形態の梱包構造において、一対の発泡スチロール部材１１０に対して左右方向（図１の矢印Ｃ方向）に衝撃が加わった場合、折り返し部２３と製品１５０の側部との両方による押圧力が、一対の発泡スチロール部材１１０の対向する側面に加わる。これにより、線状の一対の折り返し部２３が一対の発泡スチロール部材１１０の対向する側面を過度に押圧するのを抑制することができる。これにより、線状の一対の折り返し部２３が一対の発泡スチロール部材１１０の対向する側面を過度に押圧することに起因して一対の発泡スチロール部材１１０が破損するのを防止することができるので、発泡スチロール部材１１０が破損することに起因して発泡スチロール部材１１０から製品１５０が脱落するのを防止することができる。
【００３５】
また、本実施形態では、上記のように、段ボール製梱包部材２０を構成する段ボールシートの芯が延びる方向を付属品支持部２６の長手方向に対して実質的に平行になるように形成することにより、段ボールシートの芯が延びる方向と実質的に平行な方向に延びる付属品支持部２６の長手方向部分が曲がりにくくなる。これにより、細長形状である付属品支持部２６上に付属品１６０を載置した場合にも、付属品支持部２６が下方に曲がるのを抑制することができる。
【００３６】
また、本実施形態では、上記のように、先端突出部２４を、折り返し部２３とにより発泡スチロール部材１１０を挟むように、発泡スチロール部材１１０の突出部１１２に当接するように形成することによって、段ボール箱１０１が落下した場合などに、発泡スチロール部材１１０が移動するのをより抑制することができる。これにより、従来の実施形態と比較して、発泡スチロール部材１１０の移動に起因する製品１５０の脱落をより抑制することができる。
【００３７】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００３８】
たとえば、上記実施形態では、発泡スチロール部材により製品を保持するとともに、段ボール製梱包部材により付属品を収納する場合について説明したが、本考案はこれに限らず、発泡スチロール部材および段ボール製梱包部材が他の物品を収納する場合にも同様の効果を得ることができる。
【００３９】
また、上記実施形態では、段ボール製梱包部材と組み合わされる梱包部材（保持部材）として、発泡スチロール部材を用いた例を示したが、本考案はこれに限らず、発泡スチロール以外の材料からなる保持部材と段ボール製梱包部材とを組み合わせるようにしてもよい。
【００４０】
また、上記実施形態では、段ボール製梱包部材の底面収納部に開口部を２つ設けた例を示したが、本考案はこれに限らず、１つまたは３つ以上の開口部を設けてもよい。
【図面の簡単な説明】
【図１】本考案の一実施形態による梱包構造を示した概略図である。
【図２】図１に示した一実施形態による梱包構造に用いられる段ボール製梱包部材の斜視図である。
【図３】図１に示した一実施形態による段ボール製梱包部材の平面展開図である。
【図４】段ボール製梱包部材と一対の発泡スチロール部材との配置関係を示した図である。
【図５】図１に示した段ボール製梱包部材と一対の発泡スチロール部材の上面突出部との位置関係を説明するための平面図である。
【図６】従来の梱包構造の一例を示した概略図である。
【図７】図６に示した従来の発泡スチロール部材の正面図である。
【図８】図７に示した従来の発泡スチロール部材の左側面図である。
【図９】図８に示した従来の発泡スチロール部材の上面図である。
【図１０】図６に示した従来の段ボール製梱包部材を示した斜視図である。
【図１１】図１０に示した従来の段ボール製梱包部材の平面展開図である。
【図１２】図１１に示した従来の段ボール製梱包部材における段ボールシートの芯の延びる方向を説明するための斜視図である。
【図１３】図６に示した従来の段ボール製梱包部材と従来の一対の発泡スチロール部材との配置関係を示した図である。
【符号の説明】
２０　　段ボール製梱包部材
２１　　底面収納部
２１ａ　切り込み部
２２　　スペーサ部
２３　　折り返し部
２４　　先端突出部
２５　　開口部
２６　　付属品支持部
１０１　段ボール箱
１１０　発泡スチロール部材
【図１】
0003097159.tif 000003
【図２】
0003097159.tif 000004
【図３】
0003097159.tif 000005
【図４】
0003097159.tif 000006
【図５】
0003097159.tif 000007
【図６】
0003097159.tif 000008
【図７】
0003097159.tif 000009
【図８】
0003097159.tif 000010
【図９】
0003097159.tif 000011
【図１０】
0003097159.tif 000012
【図１１】
0003097159.tif 000013
【図１２】
0003097159.tif 000014
【図１３】
0003097159.tif 000015